(57)【要約】【課題】小型化を図ったメモリカード用コネクタ装置を提供する。【解決手段】コネクタ装置は、コネクタ本体の後部にコンタクト１０をカード挿入口に向けて配置され、一端部から延出する突出片７ａにハートカム溝部２５が設けられたコンタクトブロック４と、メモリカードＭＣの挿抜動作に伴ってコネクタ本体内を前後方向に移動するスライダー５と、長手方向の一端部に設けたガイド軸２８ａをハートカム溝部２５のガイド溝２７内に係入させるとともに、他端部に設けた回動軸２８ｂをスライダー５の脚片５ｂに回動自在に軸支させ、スライダー５の前後移動に伴いガイド軸２８ａがガイド溝２７内を移動することで回動軸２８ｂを中心に回動するロック金具２８とを備え、ロック金具２８の長手方向中間部には、ロック金具２８の回動動作に伴いカードロック位置でメモリカードＭＣのロック用凹所１０５に係入するロック片２８ｄを設けてある。【選択図】      図１
2004207168.tif 000002
【特許請求の範囲】
【請求項１】
前部にメモリカードを挿入するカード挿入口が開口した箱状のコネクタ本体と、メモリカードのＩ／Ｏ接触面に接触するコンタクトを保持しコネクタ本体の後部内にコンタクトをカード挿入口に向けて配置されるコンタクトブロックと、メモリカードの先端部と当接する当接部及び該当接部の端部から前方に向かって突出しメモリカードの側縁をガイドする側部を具備し、コンタクトブロックとカード挿入口との間のコネクタ本体内に前後方向に移動自在に配置され、カード挿入口からのメモリカードの挿抜操作に伴ってメモリカードと共に前後移動するスライダーと、該スライダーを前方方向へ常時付勢する付勢用ばねとを備え、上記コンタクトブロックに、ハートカム及び該ハートカムの周りに形成されたガイド溝からなるハートカム溝部を設け、長手方向の一端部に設けたガイド軸を上記ガイド溝に係入させるとともに、長手方向の他端部に設けた回動軸をスライダーの側部に設けた軸穴に回動自在に軸支させ、スライダーの前後移動に伴いガイド軸がガイド溝内を移動することによって回動軸を中心に回動し、スライダーの最後部位置への移動後のメモリカードへの押し込み力の解除時にガイド軸がハートカムの凹所に嵌ることでスライダーを所定位置にロックするロック部材を設け、該ロック部材の長手方向中間部に、ロック部材の回動動作に伴ってカードロック位置でメモリカード側へ突出しメモリカードのロック用凹所と係合するロック片を設けたことを特徴とするメモリカード用コネクタ装置。
【請求項２】
上記スライダーは、上記当接部と、当接部の両端部から前方に向かってそれぞれ突出する側部とで略コ字型に形成されたことを特徴とする請求項１記載のメモリカード用コネクタ装置。
【請求項３】
カードロック位置においてロック片の一部をメモリカードのロック用凹所内に係入させたことを特徴とする請求項１記載のメモリカード用コネクタ装置。
【請求項４】
上記ガイド溝をスライダーのスライド方向に対して傾けて形成したことを特徴とする請求項１記載のメモリカード用コネクタ装置。
【発明の詳細な説明】
【０００１】
【発明の属する技術分野】
本発明は、ミニＳＤカードのようなメモリカードを挿抜自在に接続するためのメモリカード用コネクタ装置に関するものである。
【０００２】
【従来の技術】
この種のメモリカード用コネクタ装置としては、例えば特許文献１に示されるように、メモリカードに予期せぬ外力が加わった際にメモリカードが脱落するのを防止するため、ハートカムとカムピンによるプッシュオン／プッシュオフの機構とは別に、カードロック位置でメモリカードのロック用凹所とロック金具とを係止させることで抜け止めを行うロック機構を設けたものが従来より提供されている。
【０００３】
【特許文献１】
実開平１−７５９８３号公報（第６頁、及び、第１図）
【０００４】
【発明が解決しようとする課題】
ところで、近年ＳＤメモリの小型化の要求があり、それに伴ってコネクタ装置の小型化が望まれているが、上述のコネクタ装置では、プッシュオン／プッシュオフの機構とは別に、ロック機構を設けているため、コネクタ装置の小型化が難しいという問題があった。
【０００５】
本発明は上記の問題点に鑑みて為されたもので、その目的とするところは、小型化を図ったメモリカード用コネクタ装置を提供するにある。
【０００６】
【課題を解決するための手段】
上記目的を達成するために、請求項１の発明では、前部にメモリカードを挿入するカード挿入口が開口した箱状のコネクタ本体と、メモリカードのＩ／Ｏ接触面に接触するコンタクトを保持しコネクタ本体の後部内にコンタクトをカード挿入口に向けて配置されるコンタクトブロックと、メモリカードの先端部と当接する当接部及び該当接部の端部から前方に向かって突出しメモリカードの側縁をガイドする側部を具備し、コンタクトブロックとカード挿入口との間のコネクタ本体内に前後方向に移動自在に配置され、カード挿入口からのメモリカードの挿抜操作に伴ってメモリカードと共に前後移動するスライダーと、該スライダーを前方方向へ常時付勢する付勢用ばねとを備え、上記コンタクトブロックに、ハートカム及び該ハートカムの周りに形成されたガイド溝からなるハートカム溝部を設け、長手方向の一端部に設けたガイド軸を上記ガイド溝に係入させるとともに、長手方向の他端部に設けた回動軸をスライダーの側部に設けた軸穴に回動自在に軸支させ、スライダーの前後移動に伴いガイド軸がガイド溝内を移動することによって回動軸を中心に回動し、スライダーの最後部位置への移動後のメモリカードへの押し込み力の解除時にガイド軸がハートカムの凹所に嵌ることでスライダーを所定位置にロックするロック部材を設け、該ロック部材の長手方向中間部に、ロック部材の回動動作に伴ってカードロック位置でメモリカード側へ突出しメモリカードのロック用凹所と係合するロック片を設けたことを特徴とする。
【０００７】
請求項２の発明では、請求項１の発明において、上記スライダーは、上記当接部と、当接部の両端部から前方に向かってそれぞれ突出する側部とで略コ字型に形成されたことを特徴とする。
【０００８】
請求項３の発明では、請求項１の発明において、カードロック位置においてロック片の一部をメモリカードのロック用凹所内に係入させたことを特徴とする。
【０００９】
請求項４の発明では、請求項１の発明において、上記ガイド溝をスライダーのスライド方向に対して傾けて形成したことを特徴とする。
【００１０】
【発明の実施の形態】
本発明の実施の形態を図面に基づいて説明する。本実施形態では、ミニＳＤカードのようなメモリカードＭＣを挿抜自在に接続するコネクタ装置を例に説明を行う。尚、他の種類のメモリカードに対しても、本発明における技術は適用できるものであるから、特にミニＳＤカードに限定されるものではない。
【００１１】
先ずメモリカードＭＣの構造を図１６及び図１７に基づいて説明する。図示するメモリカードＭＣは従来のＳＤメモリを小型化したミニＳＤカードと呼ばれるもので、厚みは従来と略同じであるが、外形が一回り小さくなっており、扁平な略矩形板状であって、後部（挿入側）の一方の角には切欠部１０１が設けてある。また、メモリカードＭＣの挿入側の後部下面には凹所１０２が形成され、この凹所１０２には複数（ミニＳＤカードの場合は１１個）のＩ／Ｏ接触面１０３が並行に配設されている。また、メモリカードＭＣの挿入側の左右両側縁には上向き段部１０４，１０４を形成してあり、上記切欠部１０１よりも前側（挿入側と反対側）の位置には上面の左右両側縁にロック用凹所１０５，１０５を形成している。
【００１２】
次に本実施形態のコネクタ装置の構造を図１〜図１５を参照して説明する。本実施形態は、図示するように厚さが極薄いステンレス金属板を打ち抜き且つ曲げ加工することにより形成されたベースシェル１と、このベースシェル１と同様に厚さが極薄いステンレス金属板を打ち抜き且つ曲げ加工することにより形成され、ベースシェル１上に被着することで前部にメモリカードを挿入するカード挿入口３ａが開口した扁平な箱状のコネクタ本体３をベースシェル１と共に構成するカバーシェル２と、コネクタ本体３の後部内に装着されるコンタクトブロック４と、コンタクトブロック４の前方側のコネクタ本体３内に前後方向に移動自在に配置されるコ字型の樹脂成形品からなるスライダー５とを主要な構成要素としたものである。
【００１３】
ベースシェル１は、図３及び図５に示すように両側に上面（コネクタ本体３の内側に対応）側方向に折り曲げて形成した側片６ａ，６ｂを設けたもので、前後端が開放されている。そして、ベースシェル１の後端には、コンタクトブロック４の樹脂製基体７に上下方向に貫通させた圧入孔８（図１及び図８参照）に下方から圧入してコンタクトブロック４を後部上面に固定する複数個の突出片９を折り曲げ形成している。
【００１４】
また、ベースシェル１の後端よりやや前方位置にはコンタクトブロック４に固持される後述のコンタクト１０…及びスイッチ片３０ａ，３０ｂを逃がす複数の透孔１１…を形成してある。
【００１５】
一方、カバーシェル２は、図３及び図５に示すように、両側に折り曲げによって下向きの側片２０，２０を一体に設け、また後端には所定間隔で複数の下向きの突出片２１を折り曲げ形成している。これらの突出片２１はベースシェル１上にカバーシェル２を被着する際に、ベースシェル１の後部上面に配置するコンタクトブロック４の基体７上面に開口するように貫設された圧入孔２２に圧入してコンタクトブロック４を固定するためのものである。
【００１６】
コンタクトブロック４は、図１及び図５（ａ）に示すようにメモリカードＭＣの後部下面に並行配設した複数のＩ／Ｏ接触面１０３に夫々接触するコンタクト１０…と、メモリカードＭＣの位置検出用の一対のスイッチ片３０ａ，３０ｂとを樹脂製の基体７にインサート成形或いは圧入によって一体保持させており、基体７の前面側（カード挿入口３ａ側）にはコンタクト１０…及びスイッチ片３０ａ，３０ｂの接触側を突出させ、後面側には回路基板等に夫々を半田付けするための半田付け端子部３２…を突出させている。
【００１７】
また、基体７の長手方向の一端部には前面側に突出する突出片７ａが一体に設けられており、この突出片７ａの上面にはハートカム溝部２５が形成されている。ハートカム溝部２５は、図８（ａ）及び図１０に示すようにハートカム２６とハートカム２６の周りに形成されたガイド溝２７とで構成され、後述するロック金具２８（ロック部材）のガイド軸２８ａをガイド溝２７に係入し、スライダー５の前後移動に伴い、ガイド溝２７とガイド溝２７の底面に形成した凹凸面２７ａとでガイド軸２８ａのガイド溝２７内での相対的な移動をガイドするようなっている。ロック金具２８は図４（ａ）〜（ｃ）に示すように細幅の金属板により平面視略く字状に形成され、一端部にはガイド軸２８ａが突設され、他端部には回動軸２８ｂが突設されている。また、ロック金具２８の曲がり部２８ｃの内側縁（メモリカードＭＣ側の側縁）からは斜め下向きに突出するロック片２８ｄが一体に形成されている。
【００１８】
また、基体７の前面には段部を設けてあり、この段部に一端が開口するように上記圧入孔８…を上下方向に貫通させ、さらに基体７の後側上面に一端が開口するように圧入孔２２…を基体７の後部に上下方向に貫通させている。また基体７の突出片７ａ前端部の下面側には、ベースシェル１に設けられて付勢用コイルばね１３の後端部を挿入したばね座片（図示せず）を逃がす凹欠１４ａが形成されており、突出片７ａの前端面で付勢用コイルばね１３の後端を受けている。また、基体７の長手方向他端部の下面には、一端をベースシェル１に設けたばね座片（図示せず）に挿入した付勢用コイルばね１３の他端側部を嵌めてガイドする凹欠１４ｂを設けてある。
【００１９】
スライダー５は、図９（ａ）〜（ｄ）に示すように合成樹脂成形品により略コ字型に形成されたものであって、メモリカードＭＣの左右の側縁をガイドする側部たる脚片５ｂ，５ｃと、脚片５ｂ，５ｃの後部上側縁間を連結してメモリカードＭＣの先端上部と当接する当接部５ａとを一体に形成することで略コ字型に形成されたものであり、両脚片５ｂ，５ｃの前部下側縁を連結片５ｄを介して一体に連結してある。スライダー５の両脚片５ｂ，５ｃはメモリカードＭＣの左右の側縁のガイドとして機能するもので、夫々の前端内側面を図９（ａ）に示すように脚片５ｂ，５ｃの内側面間の距離が外向けに拡開するように傾斜面１９，１９としてある。また、一方の脚片５ｂは前後方向の略中間部で外側に屈曲して、メモリカードＭＣの切欠部１０１と当接する当接部１５が設けられており、脚片５ｂの前端部の上面にはロック金具２８の他端部に設けた回動軸２８ｂを軸支する軸穴１８が形成されている。而して、ロック金具２８は一方のガイド軸２８ａをハートカム溝部２５のガイド溝２７内に係入するとともに、他方の回動軸２８ｂを軸穴１８に軸支させており、スライダー５の前後動作に伴ってガイド軸２８ａがガイド溝２７にガイドされてハートカム２６の周りを移動すると、ロック金具２８が回動軸２８ｂを中心として回動し、ロック金具２８の回動に応じてロック片２８ｄが左右方向に移動するのである。
【００２０】
また、両脚片５ｂ，５ｃの後部上側縁にはメモリカードＭＣの上向き段部１０４，１０４を載置摺動するための受けガイド１６，１６が突設されており、両脚片５ｂ，５ｃの下側面には後面側に開放されたＵ字状の細溝１７，１７が形成されている。これらの細溝１７には付勢用コイルばね１３の前端部が収納されて、細溝１７の前端内面が付勢用コイルばね１３の弾発力を受ける面となっている。ここで、両脚片５ｂ，５ｃが均等に付勢用コイルばね１３，１３（付勢用ばね）の弾発力を前方方向に受けることで、スライダー５がコネクタ本体３内をスムーズに前後方向に摺動できるようになっている。
【００２１】
このような本実施形態のコネクタ装置を組み立てるに当たっては、ベースシェル１に設けたばね座片に付勢用コイルばね１３，１３の一端部を挿入して、付勢用コイルばね１３，１３をベースシェル１に保持させるとともに、ベースシェル１の上面後部にコンタクトブロック４を載置し、ベースシェル１に設けた突出片９…をコンタクトブロック４の圧入孔８…に下方から圧入してコンタクトブロック４をベースシェル１上に固定する。
【００２２】
次に、このように配置されたコンタクトブロック４の前方側のベースシェル１上にスライダー５を載置する。この際付勢用コイルばね１３，１３の前部をスライダー５の両脚片５ｂ、５ｃの後部側面に形成している細溝１７，１７に嵌める。そしてロック金具２８の一端の回動軸２８ｂをスライダー５の脚片５ｂに設けた軸穴１８内に挿入して、軸穴１８に軸支させるとともに、ロック金具２８の他端のガイド軸２８ａをガイド溝２７内に係入する。
【００２３】
ここで、スライダー５は付勢用コイルばね１３，１３により付勢されて前方（カード挿入口３ａ側）へ押し動かされて両脚片５ｂ、５ｃの前端部がベースシェル１の前端に設けた突片２３，２３の裏面に衝合し、スライダー５のそれ以上の前方への移動が規制される。この状態ではロック金具２８のガイド軸２８ａがガイド溝２７の前端の初期位置▲１▼へ移動し、ロック片２８ｄがロック用凹所１０５から外に退避している（図１０参照）。
【００２４】
このようにしてベースシェル１上にコンタクトブロック４、スライダー５を配置するとともに、付勢用コイルばね１３，１３、ロック金具２８を装着した後、カバーシェル２を上方からベースシェル１に被せる。この際カバーシェル２に形成した突出片２１…をコンタクトブロック４の基体７の圧入孔２２に上方から圧入するとともに、両側片２０，２０をベースシェル１の両側片６ａ，６ｂの外側面に沿うように垂下させる。この時、カバーシェル２の両側片２０，２０に切り起こしによって形成された弾性係止片３４…の上向き先部が、ベースシェル１の両側片６ａ，６ｂに対応するように設けた係止孔３５…に係止されることになる。これにより両シェル１，２が互いに結合されて、扁平で前部にカード挿入口３ａを開口した箱状のコネクタ本体３が形成されると同時に、コネクタ装置が完成することになる。ここで、本実施形態のコネクタ装置は、各コンタクト１０…及びスイッチ片３０ａ，３０ｂの半田付け端子部３２…の下面と、ベースシェル１の前部両側縁より前方に突出させたアース用の半田付け片３３の下面とを低くしたＳＭＤ型のコネクタ装置を構成している。また、金属製のコネクタ本体３をアースすることで静電気や外部ノイズに強いものとなる。
【００２５】
図６はメモリカードＭＣを挿着していない状態のコネクタ装置の側面図であり、この状態では、付勢用コイルばね１３，１３の弾発力を受けてスライダー５がカード挿入口３ａ方向に移動した状態にある。また、この時ロック金具２８のガイド軸２８ａは初期位置▲１▼に移動しており（図１２（ａ）参照）、ガイド溝２７内で最も外側（メモリカードＭＣと反対側）の位置に移動しているので、ロック金具２８が回動軸２８ｂを中心として左回りに一杯まで回転し、ロック片２８ｄがメモリカードＭＣのロック用凹所１０５から外に退避している。
【００２６】
次に、メモリカードＭＣをコネクタ装置へ挿着する場合の各部の動作について説明する。まずメモリカードＭＣを前後方向及び表裏方向を正規な方向に向けてコネクタ本体３のカード挿入口３ａから挿入すると、メモリカードＭＣの先部がコネクタ本体３内のスライダー５の両脚片５ｂ，５ｃ間に挿入されて、メモリカードＭＣの下面両側部の下向き段部１０４，１０４が受けガイド１６，１６と当接する。更にメモリカードＭＣをコネクタ本体３内に挿入すると、やがてメモリカードＭＣの先部の片側に形成した切欠部１０１がスライダー５の当接部１５に衝合するとともに、メモリカードＭＣの先部が当接部５ａと衝合してスライダー５を後方へ押すことになる。そして、スライダー５に加わる付勢用コイルばね１３，１３の弾発力に抗して更にメモリカードＭＣを押し入れると、メモリカードＭＣの移動に共動してスライダー５が後退することになる。このスライダー５の後退によりロック金具２８のガイド軸２８ａがハートカム溝部２５のガイド溝２７内をガイド溝２７底部の凹凸面２７ａによってガイドされながらハートカム２６の左側のガイド溝２７の位置▲２▼へ移動することになる（図１０及び図１３参照）。この時、ガイド軸２８ａの移動に伴って、ロック金具２８は回動軸２８ｂを中心として回動するのであるが、ハートカム２６の左側のガイド溝２７は前後方向に沿って略真っ直ぐに延びているので、ロック金具２８の傾きは十分小さく、ロック片２８ｄはメモリカードＭＣのロック用凹所１０５内に係入していない。
【００２７】
そして、メモリカードＭＣをスライダー５の当接部５ａの後面がコンタクトブロック４の基体７の前面に当たる位置に近い位置まで押し込むと、ロック金具２８のガイド軸２８ａがガイド溝２７の後端に当たる位置▲３▼に至ることになり（図１０参照）、それ以上の押し込みができなくなる。この位置でメモリカードＭＣに加えていた押し込み力を解除すると、付勢用コイルばね１３の弾発力によりスライダー５がメモリカードＭＣと共に前方へ戻りかけるが、ロック金具２８のガイド軸２８ａがガイド溝２７に案内されながら移動してハートカム２６の凹部２６ａ（図１０の▲４▼）に嵌り込むことになり、これ以上のスライダー５の前方移動が規制されて、メモリカードＭＣはその位置でコネクタ本体３内に留まることになる（図１４参照）。
【００２８】
さて上記メモリカードＭＣは押し込みによってその先部が所定位置へ移動すると、各コンタクト１０…の先部がメモリカードＭＣの裏面に形成した対応するＩ／Ｏ接触面１０３にコンタクト１０…の長さに応じて順次接触することになる。また前方に突出するスイッチ片３０ａの先部がメモリカードＭＣの切欠部１０１側面で押されて他方のスイッチ片３０ｂに接触し、スイッチがオンになるので（図１０参照）、このスイッチ信号を利用して外部の検出回路（図示せず）によりメモリカードＭＣが正規位置に挿着されたことを検出することができる。
【００２９】
上述のスライダー５の移動は上記のハートカム２６の凹部２６ａにロック金具２８のガイド軸２８ａが嵌り込むことで規制されるが、メモリカードＭＣはそのままではコネクタ本体３内より脱落する恐れがある。そこで本実施形態では、スライダー５がカードロック位置へ移動すると、このスライダー５の前後移動に伴って回動するロック金具２８のロック片２８ｄが脚片５ｂの内側（メモリカードＭＣ側）に突出して、その先端部がメモリカードＭＣのロック用凹所１０５に係入しメモリカードＭＣをロックする。この状態が図１４に示す状態である。尚、メモリカードＭＣのロック位置では、ロック片２８ｄの約半分しかロック用凹所１０５内に係入していないので、メモリカードＭＣを無理に引き抜こうとする力が加わった際にロック片２８ｄとロック用凹所１０５との係合を外れやすくして、ロック金具２８が破損するのを防止している。
【００３０】
以上のように挿着されたメモリカードＭＣをコネクタ装置より取り出すときには、まずコネクタ本体３のカード挿入口３ａより露出するメモリカードＭＣの後部を挿入方向に押してスライダー５とともにメモリカードＭＣを挿入方向へ移動させる。この移動によってロック金具２８のガイド軸２８ａがハートカム２６の凹部２６ａから離脱するとともにガイド溝２７にガイドされて凹部２６ａより右側のガイド溝２７内の位置▲５▼へ移動する。この時、ロック金具２８は回動軸２８ｂを中心として右回りに回転し、ロック片２８ｄがさらにメモリカードＭＣ側に移動して、ロック片２８ｄの略全体がロック用凹所１０５内に係入する。
【００３１】
その後、メモリカードＭＣの押し込み力を解除すると、スライダー５は付勢用コイルばね１３，１３の弾発力により前方へ移動することなる。この移動に伴ってロック金具２８のガイド軸２８ａはガイド溝２７にガイドされながらハートカム２６の右側のガイド溝２７内の▲６▼を介して移動し（図１０参照）、ロック金具２８が回動軸２８ｂを中心に左回りに回転して、ロック片２８ｄがロック用凹所１０５から退避する。そして、スライダー５が付勢用コイルばね１３，１３の弾発力によりカード挿入口３ａ側へ移動して図１２に示す初期位置に復帰すると、ロック片２８ｄがロック用凹所１０５から外に出て、メモリカードＭＣのロックを解除する。この時、メモリカードＭＣの後部がコネクタ本体３のカード挿入口３ａから外部へ大きく露出し、メモリカードＭＣをコネクタ本体３から取り出すことができることになる。
【００３２】
以上説明したように本実施形態では、コネクタ本体３に固定されるコンタクトブロック４にハートカム溝部２５を設けているので、ハートカム溝部２５をスライダー５に設ける場合に比べてスライダー５を小型にでき、且つ、スライダー５を所定位置にロックするロック金具２８にメモリカードＭＣのロック用凹所１０５と係合して抜け止めを行うロック片２８ｄを設けているので、プッシュオン／プッシュオフの機構とは別にメモリカードＭＣをロックする機構を設ける場合に比べてコネクタ装置の構造を簡単にでき、部品数を少なくしてコネクタ装置の小型化を図ることができる。また、本実施形態ではハートカム溝部２５のガイド溝２７をスライダー５のスライド方向に対して傾けて形成してあり、ガイド溝２７を傾けることでスライダー５の移動に伴ってロック金具２８が回転する回転量を大きくし、その結果ロック片２８ｄの移動量を大きくしてある。
【００３３】
【発明の効果】
上述のように、請求項１の発明は、前部にメモリカードを挿入するカード挿入口が開口した箱状のコネクタ本体と、メモリカードのＩ／Ｏ接触面に接触するコンタクトを保持しコネクタ本体の後部内にコンタクトをカード挿入口に向けて配置されるコンタクトブロックと、メモリカードの先端部と当接する当接部及び該当接部の端部から前方に向かって突出しメモリカードの側縁をガイドする側部を具備し、コンタクトブロックとカード挿入口との間のコネクタ本体内に前後方向に移動自在に配置され、カード挿入口からのメモリカードの挿抜操作に伴ってメモリカードと共に前後移動するスライダーと、該スライダーを前方方向へ常時付勢する付勢用ばねとを備え、上記コンタクトブロックに、ハートカム及び該ハートカムの周りに形成されたガイド溝からなるハートカム溝部を設け、長手方向の一端部に設けたガイド軸を上記ガイド溝に係入させるとともに、長手方向の他端部に設けた回動軸をスライダーの側部に設けた軸穴に回動自在に軸支させ、スライダーの前後移動に伴いガイド軸がガイド溝内を移動することによって回動軸を中心に回動し、スライダーの最後部位置への移動後のメモリカードへの押し込み力の解除時にガイド軸がハートカムの凹所に嵌ることでスライダーを所定位置にロックするロック部材を設け、該ロック部材の長手方向中間部にロック部材の回動動作に伴ってカードロック位置でメモリカード側へ突出しメモリカードのロック用凹所と係合するロック片を設けたことを特徴とし、コネクタ本体に固定されるコンタクトブロックにハートカム溝部を設けているので、ハートカム溝部をスライダーに設ける場合に比べてスライダーを小型にでき、且つ、スライダーを所定位置にロックするロック部材にメモリカードのロック用凹所と係合して抜け止めを行うロック片を設けているので、プッシュオン／プッシュオフの機構とは別にメモリカードをロックする機構を設ける場合に比べてコネクタ装置の構造を簡単にでき、部品数を少なくしてコネクタ装置の小型化を図ることができる。
【００３４】
請求項２の発明は、請求項１の発明において、上記スライダーは、上記当接部と、当接部の両端部から前方に向かってそれぞれ突出する側部とで略コ字型に形成されたことを特徴とし、スライダーの両側部でメモリカードの側縁をガイドすることができる。
【００３５】
請求項３の発明は、請求項１の発明において、カードロック位置においてロック片の一部をメモリカードのロック用凹所内に係入させたことを特徴とし、カードロック位置においてロック片の一部しかロック用凹所と係合していないので、メモリカードを引き抜こうとする無理な力が加わった際に、ロック片とロック用凹所との係合を外れやすくでき、ロック部材の破損を防止できる。
【００３６】
請求項４の発明は、請求項１の発明において、上記ガイド溝をスライダーのスライド方向に対して傾けて形成したことを特徴とし、ガイド溝をスライド方向に対して傾けることで、ガイド軸がガイド溝内を移動することに伴ってロック部材が回動軸を中心に回動する範囲を大きくでき、その結果ロック部材の回動動作に伴うロック片の移動範囲を大きくできる。
【図面の簡単な説明】
【図１】本実施形態のコネクタ装置を示し、スライダーがカード取出位置に移動した状態の一部省略せる斜視図である。
【図２】同上を示し、スライダーがカードセット位置に移動した状態の一部省略せる斜視図である。
【図３】同上のベースシェル及びカバーシェルの外観斜視図である。
【図４】同上のロック金具を示し、（ａ）は正面図、（ｂ）は側面図、（ｃ）は断面図である。
【図５】同上のコネクタ装置を示し、（ａ）はカバーシェルを外した状態の上面図、（ｂ）は前方から見た側面図、（ｃ）はスライダーがカードセット位置に移動した状態の側断面図である。
【図６】同上のコネクタ装置を示し、スライダーがカード取出位置に移動した状態の側断面図である。
【図７】同上のコネクタ装置を後方から見た側面図である。
【図８】同上のコネクタブロックを示し、（ａ）は上面図、（ｂ）は後方から見た側面図、（ｃ）は右側から見た側面図である。
【図９】同上のスライダーを示し、（ａ）は上面図、（ｂ）は後方から見た側面図、（ｃ）は前方から見た側面図、（ｄ）は右側から見た側面図である。
【図１０】同上のカバーシェルを外した状態を上側から見た要部拡大図である。
【図１１】同上のコネクタ装置を前方から見た一部省略せる側面図である。
【図１２】同上にメモリカードを挿入する初期状態を示し、（ａ）はカバーシェルを外した状態を上側から見た要部拡大図、（ｂ）は側断面図である。
【図１３】同上にメモリカードを挿入する途中の状態を示し、カバーシェルを外した状態を上側から見た要部拡大図である。
【図１４】同上にメモリカードをカードセット位置まで挿入した状態を示し、（ａ）はカバーシェルを外した状態を上側から見た要部拡大図、（ｂ）は側断面図である。
【図１５】同上からメモリカードを取り出す途中の状態を示し、カバーシェルを外した状態を上側から見た要部拡大図である。
【図１６】同上に用いるメモリカードを示し、（ａ）は正面図、（ｂ）は右側から見た側面図、（ｃ）は前側から見た側面図である。
【図１７】同上のメモリカードを示し、（ａ）は背面図、（ｂ）は後側から見た側面図である。
【符号の説明】
４      コンタクトブロック
５      スライダー
５ｂ    脚片
７ａ    突出片
１０    コンタクト
２５    ハートカム溝部
２７    ガイド溝
２８    ロック金具
２８ａ  ガイド軸
２８ｂ  回動軸
２８ｄ  ロック片
１０５  ロック用凹所
ＭＣ    メモリカード
【図１】
2004207168.tif 000003
【図２】
2004207168.tif 000004
【図３】
2004207168.tif 000005
【図４】
2004207168.tif 000006
【図５】
2004207168.tif 000007
【図６】
2004207168.tif 000008
【図７】
2004207168.tif 000009
【図８】
2004207168.tif 000010
【図９】
2004207168.tif 000011
【図１０】
2004207168.tif 000012
【図１１】
2004207168.tif 000013
【図１２】
2004207168.tif 000014
【図１３】
2004207168.tif 000015
【図１４】
2004207168.tif 000016
【図１５】
2004207168.tif 000017
【図１６】
2004207168.tif 000018
【図１７】
2004207168.tif 000019